(57)【要約】【課題】  本体内の正面にレイアウトされている端子盤に配線を接続する時の施工性を損なうことがなく、また、端子盤への埃の付着がないようにした空気調和機の室外機を提供する。【解決手段】  本体内が仕切板２により機械室５と熱交換器室８とに区画され、前記機械室５内には、外部からの配線が前面側から接続される端子盤１０を取り付けた取付具９が設けられるとともに、前記機械室５前面は、外胴１３を構成するサービスパネル１３ｃにより開閉されてなる空気調和機の室外機において、前記端子盤１０は、前記取付具９に取り付けられる配線の接続位置を臨ませた開口部を有する前面部と、両側面および上下面からなる四側面部とで構成される保護カバー１２によりカバーされる構成にした。【選択図】  図２
2010078203.tif 000002
【特許請求の範囲】
【請求項１】
底板と、同底板に被着された外胴とからなる本体内が、仕切板により圧縮機および電装品箱を含む機械室と、熱交換器および送風ファンを含む熱交換器室とに区画され、前記機械室内には、外部からの配線が接続される端子盤を取り付けた取付具が設けられるとともに、前記機械室は、前記外胴を構成するサービスパネルにより開閉されてなる空気調和機の室外機において、
前記端子盤は、前記取付具に取り付けられる配線の接続位置を臨ませた開口部を有する前面部と、両側面および上下面からなる四側面部とで構成される保護カバーによりカバーされてなることを特徴とする空気調和機の室外機。
【請求項２】
前記保護カバーの前面部は、前記開口部の下位部が段差を有して後方に位置するとともに、同開口部の下端周縁が前記端子盤の下端と略同一高さになるように形成されてなることを特徴とする請求項１に記載の空気調和機の室外機。
【請求項３】
前記取付具に、係止孔と固定用ねじ孔とが設けられる一方、前記保護カバーに、前記係止孔に対応する係止爪と、前記固定用ねじ孔に対応するねじの通し孔とが設けられてなることを特徴とする請求項１または請求項２に記載の空気調和機の室外機。
【発明の詳細な説明】
【技術分野】
【０００１】
本発明は、空気調和機の室外機に係わり、より詳細には、保護カバーにより端子盤をカバーすることで、配線を接続する時の施工性を損なうことなく端子盤への埃の付着を防止する。
【背景技術】
【０００２】
従来の空気調和機の室外機において、配線を介した延焼を抑えて防炎性を向上させることができるものとして、図６に示すように、外部からの配線ａが接続される端子部（端子盤）ｂと、端子部（端子盤）ｂを収納するケーシング本体ｃと、ケーシング本体ｃの外側面ｄに取り付けられ開口ｅが設けられた外面カバー部材と、延焼拡大防止部ｇを有する配線カバー部材ｆとを備え、配線カバー部材ｆの延焼拡大防止部ｇは、外面カバー部材の開口ｅから外面カバー部材と外側面ｄとの間に形成される空間を通って端子部（端子盤）ｂへと延びる配線ａを覆い、且つ、配線ａに圧接する難燃性のもので形成されていた（例えば、特開２００８−８２６３８号公報参照）。
【０００３】
しかしながら、配線カバー部材ｆによって、端子部（端子盤）ｂに接続される外部からの配線ａが保護される一方、機械室内で剥き出しになっている端子部（端子盤）ｂについては、埃が溜まりやすくなって、様々な障害を引き起こす原因になってしまう恐れがあった。
【特許文献１】特開２００８−８２６３８号公報
【発明の開示】
【発明が解決しようとする課題】
【０００４】
そこで、本発明は上述した課題を解決するためになされたものであって、その目的は、本体内の正面にレイアウトされている端子盤に配線を接続する時の施工性を損なうことがなく、また、端子盤への埃の付着がないようにした空気調和機の室外機を提供することにある。
【課題を解決するための手段】
【０００５】
上述した目的を達成できるように構成するため、本発明は以下に示す特徴を備えている。
【０００６】
底板と、同底板に被着された外胴とからなる本体内が、仕切板により圧縮機および電装品箱を含む機械室と、熱交換器および送風ファンを含む熱交換器室とに区画され、前記機械室内には、外部からの配線が接続される端子盤を取り付けた取付具が設けられるとともに、前記機械室は、前記外胴を構成するサービスパネルにより開閉されてなる空気調和機の室外機において、
前記端子盤は、前記取付具に取り付けられる配線の接続位置を臨ませた開口部を有する前面部と、両側面および上下面からなる四側面部とで構成される保護カバーによりカバーされてなることを特徴としている。
【０００７】
また、前記保護カバーの前面部は、前記開口部の下位部が段差を有して後方に位置するとともに、同開口部の下端周縁が前記端子盤の下端と略同一高さになるように形成されてなることを特徴としている。
【０００８】
また、前記取付具に、係止孔と固定用ねじ孔とが設けられる一方、前記保護カバーに、前記係止孔に対応する係止爪と、前記固定用ねじ孔に対応するねじの通し孔とが設けられてなることを特徴としている。
【発明の効果】
【０００９】
本発明によれば、本体内にレイアウトされている端子盤に配線を接続する時の施工性を損なうことがなく、また、端子盤への埃の付着がないようにした空気調和機の室外機を提供できる。
【発明を実施するための最良の形態】
【００１０】
次に、本発明の実施形態について図面を参照しながら説明する。
【００１１】
図１は本発明による空気調和機の室外機の外観斜視図であり、図２は本発明による空気調和機の室外機の外胴を取り外した斜視図であり、図３は本発明による空気調和機の室外機の説明図で、（Ａ）は外胴を取り外した正面図、（Ｂ）は要部斜視図であり、図４は本発明による空気調和機の室外機の説明図で、（Ａ）は外胴および端子盤の保護カバーを取り外した正面図、（Ｂ）は端子盤の保護カバーを取り外した要部斜視図であり、図５は本発明による空気調和機の室外機の要部説明図で、（Ａ）は端子盤を保護カバーでカバーした正面図、（Ｂ）は図５（Ａ）に示すＡーＡ断面図である。
【００１２】
本発明による空気調和機の室外機は、図１および図２に示すように、脚部１ａを備えた底板１と、底板１に被着された外胴１３とからなる本体内が、底板１上に立設された仕切板２により左右に区画されて、一側に、圧縮機３および電装品箱４を含む機械室５が設けられる一方、他側に、熱交換器６および送風ファン７を含む熱交換器室８が設けられている。
【００１３】
機械室５には、図２と、図３（Ａ）および図３（Ｂ）と、図４（Ａ）および図４（Ｂ）とに示すように、底板１上に圧縮機３が載置され、圧縮機３の前部に、図示しない室内機に連なる接続配管が接続される操作弁１１が設けられるとともに、圧縮機３の上部に、電装部品を収容した電装品箱４が設けられており、また、電装品箱４の前面側下部に端子盤１０を取り付ける取付具９が設けられた構成になっている。
【００１４】
取付具９には、図２と、図３（Ａ）および図３（Ｂ）と、図４（Ａ）および図４（Ｂ）と、図５（Ａ）および図５（Ｂ）とに示すように、端子盤１０が背面側を当接した状態で取り付けられており、この端子盤１０の前部から、図示しない室内機に連なっている機械室５外部からの図示しない配線が接続されるようになっている。
【００１５】
なお、図２と、図４（Ａ）および図４（Ｂ）とに示す端子盤１０は、端子盤１０をカバーする保護カバー１２が取付具９から取り外された状態で図示されている。
【００１６】
外胴１３は、図１および図２に示すように、熱交換器室８に設けられている送風ファン７を臨ませた吹出グリル１３ｂを有する前面パネル１３ａと、前面パネル１３ａに隣接して機械室５の前面をカバーしているサービスパネル１３ｃと、機械室５および熱交換器室８の側面をカバーしている側面パネル１３ｄと、熱交換器室８および機械室５の上面をカバーしている上面パネル１３ｅとで構成されている。
【００１７】
機械室５は、操作弁１１に図示しない接続配管を接続したり、端子盤１０に図示しない配線を接続するなどの作業や、メンテナンスの作業を行う際、少なくともサービスパネル１３ｃを取り外すことで前面側が開放される構成になっているが、図１に示すように、サービスパネル１３ｃと、側面パネル１３ｄとを折曲部を介して一体的に形成することによって、機械室５の側面側を前面側といっしょに開放できる構成にしてもよい。
【００１８】
送風ファン７を起動して空気（外気）を吸い込む吸込口１３ｆは、図１および図２に示すように、平面視でＬ字状に折曲形成された熱交換器６の夫々の面を臨ませるように、熱交換器室８の側面と背面とに設けられており、この吸込口１３ｆから吸い込まれた空気は、熱交換器６によって熱交換されたのちに吹出グリル１３ｂから外部に吹き出されるように構成されている。
【００１９】
ここで、取付具９に取り付けられている端子盤１０をカバーするための保護カバー１２が、取付具９に取り付けられている構成について詳細に説明する。
【００２０】
端子盤１０は、一般的には、機械室５内で剥き出しになる構造になっており、機械室５内の埃が溜まらないようにカバーをするといった防塵構造にはなっていない。
【００２１】
そのため、機械室５内で端子盤１０が剥き出しにならないようカバーをすることで、端子盤１０に機械室５内の埃を溜めてしまう恐れがないようにして、万一端子盤１０が発熱してしまうようなことがあっても、様々な障害を引き起こす原因になってしまう恐れがないようにする必要がある。
【００２２】
そこで、端子盤１０をカバーするための保護カバー１２は、板金製であって、図３（Ａ）および図３（Ｂ）と、図５（Ａ）および図５（Ｂ）とに示すように、機械室５外部からの図示しない配線を接続する端子盤１０の下部接続部１０ｂを臨ませた開口部１２ａを有する前面部１２ｃと、両側面１２ｄおよび上下面１２ｅからなる四側面部とで構成している。
【００２３】
なお、保護カバー１２は、本発明の実施形態としては板金製によるものとして説明するが、板金製に限らず、例えば難燃性の合成樹脂からなる構成であってもよい。
【００２４】
保護カバー１２は、前面部１２ｃに下部接続部１０ｂを臨ませた開口部１２ａを有していることにより、端子盤１０が取り付けられている取付具９から取り外すことなく、この開口部１２ａから、図示しない室内機に連なっている機械室５外部からの図示しない配線を導入して端子盤１０の下部接続部１０ｂに接続できるので、配線を接続する時の施工性を損ねることがない。
【００２５】
また、保護カバー１２は、端子盤１０の下部接続部１０ｂを臨ませた開口部１２ａを有していることにより、この開口部１２ａから配線接続された端子盤１０の放熱ができる一方、下部接続部１０ｂの前部以外をカバーしていることで端子盤１０に手指が触れにくいように保護できる。
【００２６】
保護カバー１２の前面部１２ｃは、図３（Ｂ）および図５（Ｂ）に示すように、開口部１２ａの下位部１２ｂが段差を有して後方に位置するとともに、開口部１２ａの下端周縁が端子盤１０の下端と略同一高さになるように形成されている。
【００２７】
これにより、図示しない室内機に連なっている外部からの図示しない配線を機械室５に導入し、保護カバー１２の開口部１２ａを通して、端子盤１０の前部から下部接続部１０ｂに容易に、且つ正確にねじ締めによって接続できるようになる。
【００２８】
その際、保護カバー１２の開口部１２ａの下位部１２ｂが段差を有して後方に位置し、開口部１２ａの下端縁（下位部１２ｂの上端縁）が端子盤１０の下端と略同一高さになっているので、端子盤１０の下部接続部１０ｂへの図示しない配線の接続作業やメンテナンス時に、該箇所への配線の引き回しおよび接続を含む施工性が良好になるとともに、開口部１２ａの下端縁で配線を損傷させる恐れがなくなり、且つ、配線にテンションが掛かる恐れがなくなる。
【００２９】
また、取付具９には、図４（Ｂ）に示すように、係止孔９ａと固定用ねじ孔９ｂとが設けられる一方、保護カバー１２には、図３（Ｂ）と、図５（Ａ）および図５（Ｂ）とに示すように、係止孔９ａに対応する係止爪１２ｈと、固定用ねじ孔９ｂに対応する固定ねじ１４の通し孔１２ｉを備えた固定部１２ｇとが設けられている。
【００３０】
これにより、端子盤１０が取り付けられた取付具９に対し、開口部１２ａに端子盤１０の下部接続部１０ｂを臨ませた状態で保護カバー１２の係止爪１２ｈを容易に係止し、且つ、保護カバー１２の固定部１２ｇを正確にねじ締め固定できるようになる。
【００３１】
また、保護カバー１２は、両側面１２ｄおよび上下面１２ｅからなる四側面部を有していることで、この四側面部と前面部１２ｃとで、図３（Ｂ）に示すように、図示しない室内機に連なっている外部からの図示しない配線を接続した下部接続部１０ｂを除く端子盤１０の前部および周辺部をカバーすることができるようになり、また、側面１２ｄに設けられた図５（Ｂ）に示すような導出部１２ｆからは、端子盤１０の上部接続部１０ａに接続された図示しない配線を導出できるようになっている。
【００３２】
なお、端子盤１０は、その背面側が取付具９に取り付けられており、また、取付具９には保護カバー１２が取り付けられていることから、保護カバー１２の四側面部および前面部１２ｃと、取付具９とで、下部接続部１０ｂを除く端子盤１０の前部および周辺部を効果的にカバーできることになる。
【００３３】
これにより、端子盤１０は、保護カバー１２を取り外した状態を示す図４（Ａ）および図４（Ｂ）のように機械室５内で剥き出しの状態にはならず、したがって機械室５内で埃が溜まりにくい防塵構造にすることができるので、端子盤１０に機械室５内の埃を溜めてしまう恐れがないようにして、様々な障害を引き起こす原因になってしまう恐れがないようにできる。
【００３４】
また、端子盤１０は、外部からの配線が接続される下部接続部１０ｂの前部を除いて略全体をカバーすることができるので、下部接続部１０ｂ以外に手指が触れる恐れがないように保護できる。
【００３５】
次に、保護カバー１２が、機械室５内に設けられた取付具９に取り付けられる構成について説明する。
【００３６】
端子盤１０の背面を当接して取り付ける取付具９には、図４（Ｂ）および図５（Ｂ）に示すように、端子盤１０の上下部に対応したスリットからなる係止孔９ａが設けられており、この係止孔９ａに対応して、図５（Ｂ）に示すように、保護カバー１２の上下面１２ｅの後部には係止爪１２ｈが設けられている。
【００３７】
また、取付具９には、図４（Ｂ）に示すように、固定用ねじ孔９ｂが夫々設けられる一方、保護カバー１２には、図３（Ｂ）に示すように、固定用ねじ孔９ｂに対応する固定ねじ１４用の通し孔１２ｉからなる固定部１２ｇが設けられている。
【００３８】
これにより、保護カバー１２の係止爪１２ｈを取付具９の係止孔９ａに係止し、係止することで保護カバー１２が仮固定されることになり、仮固定されることで位置決めされた固定部１２ｇの通し孔１２ｉを通した図５（Ａ）および図５（Ｂ）に示す固定ねじ１４を螺着することにより、保護カバー１２を取付具９に容易に、且つ正確に取り付けることができる。
【００３９】
以上説明した本発明による構成であれば、端子盤１０が、図示しない配線の接続位置を臨ませた開口部１２ａを有する前面部１２ｃと、両側面１２ｄおよび上下面１２ｅからなる四側面部とで構成され、取付具９に取り付けられた保護カバー１２によりカバーされるので、本体内の正面にレイアウトされている端子盤１０に配線を接続する時の施工性を損なうことがなく、また、端子盤１０に機械室５内の埃が溜まらないようにして、様々な障害を引き起こす恐れのない空気調和機の室外機となる。
【図面の簡単な説明】
【００４０】
【図１】本発明による空気調和機の室外機の外観斜視図である。
【図２】本発明による空気調和機の室外機の外胴を取り外した斜視図である。
【図３】本発明による空気調和機の室外機の説明図で、（Ａ）は外胴を取り外した正面図であり、（Ｂ）は要部斜視図である。
【図４】本発明による空気調和機の室外機の説明図で、（Ａ）は外胴および端子盤の保護カバーを取り外した正面図であり、（Ｂ）は端子盤の保護カバーを取り外した要部斜視図である。
【図５】本発明による空気調和機の室外機の要部説明図で、（Ａ）は端子盤を保護カバーでカバーした正面図であり、（Ｂ）は図５（Ａ）に示すＡーＡ断面図である。
【図６】従来例による空気調和機の室外機の説明図である。
【符号の説明】
【００４１】
１  底板
１ａ  脚部
２  仕切板
３  圧縮機
４  電装品箱
５  機械室
６  熱交換器
７  送風ファン
８  熱交換器室
９  取付具
９ａ  係止孔
９ｂ  固定用ねじ孔
１０  端子盤
１０ａ  上部接続部
１０ｂ  下部接続部
１１  操作弁
１２  保護カバー
１２ａ  開口部
１２ｂ  下位部
１２ｃ  前面部
１２ｄ  両側面
１２ｅ  上下面
１２ｆ  導出部
１２ｇ  固定部
１２ｈ  係止爪
１２ｉ  通し孔
１３  外胴
１３ａ  前面パネル
１３ｂ  吹出グリル
１３ｃ  サービスパネル
１３ｄ  側面パネル
１３ｅ  上面パネル
１３ｆ  吸込口
１４  固定ねじ
【図１】
2010078203.tif 000003
【図２】
2010078203.tif 000004
【図３】
2010078203.tif 000005
【図４】
2010078203.tif 000006
【図５】
2010078203.tif 000007
【図６】
2010078203.tif 000008